(57)【特許請求の範囲】
【請求項１】
一方向に長く形成されてゴルフボールが転がる直線走路を形成し、上記直線走路の中心に沿って表示線が形成される本体；及び、
上記直線走路の上側に形成され、上記表示線と平行な貫通孔が形成されるガイド；を含み、
上記ガイドは、
上記本体に上記直線走路に沿って摺動可能に結合される一対の支持部；及び、
上記一対の支持部を互いに連結し、上記貫通孔が形成される覆い部；を含み、
上記覆い部の間にはゴルフボールの通過する通路が形成され、
上記貫通孔を通して上記表示線を観察しながらパットを練習するとパット姿勢が矯正されることを特徴とするゴルフパット矯正装置。
【請求項２】
上記覆い部には、上記貫通孔と一直線上にゴルフティー（tee）が挿さるティー挿入溝が形成されることを特徴とする請求項１に記載のゴルフパット矯正装置。
【請求項３】
一方向に長く形成されてゴルフボールが転がる直線走路を形成し、上記直線走路の中心に沿って表示線が形成される本体；及び、
上記直線走路の上側に形成され、上記表示線と平行な貫通孔が形成されるガイド；を含み、
上記本体の一端部には、パット練習時転がっていったゴルフボールを停止させるターゲットユニットが設けられ、
上記ターゲットユニットは、
上記本体の一端部に結合され、転がっていったゴルフボールがぶつかるブロッカー；及び、
上記本体に上記直線走路に沿って摺動可能に結合され、ゴルフボールの通過する通路が形成されるターゲット部材；を含み、
上記ブロッカーにはパット練習時転がっていったゴルフボールを他端部に送り返す打撃ユニットが設けられ、
上記貫通孔を通して上記表示線を観察しながらパットを練習するとパット姿勢が矯正されることを特徴とするゴルフパット矯正装置。
【請求項４】
上記打撃ユニットは、
モータと連動回転する打撃羽根;及び、
上記打撃羽根がぶつかるとき、上記本体の他端部方向に押される打撃板；を含むことを特徴とする請求項３に記載のゴルフパット矯正装置。
【請求項５】
一方向に長く形成されてゴルフボールが転がる直線走路を形成し、上記直線走路の中心に沿って表示線が形成される本体；及び、
上記直線走路の上側に形成され、上記表示線と平行な貫通孔が形成されるガイド；を含み、
上記本体の側面には角度計及び上記角度計の中心軸に回転可能に結合される角度表示棒を含むスウィング矯正ユニットが設けられ、
上記貫通孔を通して上記表示線を観察しながらパットを練習するとパット姿勢が矯正されることを特徴とするゴルフパット矯正装置。
【請求項６】
上記本体には、上記直線走路の長手方向に沿ってゴルフティーの挿さるティー挿入溝が形成されることを特徴とする請求項１から請求項５のいずれか一項に記載のゴルフパット矯正装置。
【請求項７】
上記本体に着脱可能に結合され、Ｘ方向に長く形成され、傾いた地面に置かれても上記Ｘ方向と直角方向への転がりが防止されるように四角形断面に形成されるゴルフ練習用スティックをさらに含み、
上記ゴルフ練習用スティックの両端部には、上記ティー挿入溝に挿さる突出部及び上記突出部が挿さる結合溝が形成されることを特徴とする請求項６に記載のゴルフパット矯正装置。
【請求項８】
上記本体には、上記直線走路と平行にレーザーが照射されるレーザーユニットが設けられることを特徴とする請求項１から請求項７のいずれか一項に記載のゴルフパット矯正装置。
【請求項９】
上記本体には、上記直線走路の長手方向に沿って目盛が形成されることを特徴とする請求項１から請求項８のいずれか一項に記載のゴルフパット矯正装置。
【請求項１０】
上記本体には、上記表示線の両側に形成され、ゴルフボールが載せられて転がる一対の主レール、及び上記主レールの外側で上記表示線の両側に一対の離脱防止レールが形成されることを特徴とする請求項１から請求項９のいずれか一項に記載のゴルフパット矯正装置。
【請求項１１】
上記一対の主レールは、ゴルフボールの中心に向かって相互対称に傾いていることを特徴とする請求項１０に記載のゴルフパット矯正装置。
【発明の詳細な説明】
【技術分野】
【０００１】
本発明は、ゴルフパット矯正装置に関し、より詳しくは、ゴルフパットを繰り返し練習する過程で自然に正確なアドレス（address）、アラインメント（alignment）及びボールの位置が学習されてパット姿勢が矯正されるゴルフパット矯正装置に関する。
【背景技術】
【０００２】
パターは、ゴルフ競技に使われるクラブのうち最も多くホールにボールを入れる装備であり、全体の競技でなされるスウィングのうちほぼ半分を占めるほどゴルフ競技で非常に重要なクラブと言える。
【０００３】
パター使用の主な目的は、ホールを狙ってボールをランニングさせることであるため、他のクラブと比較してボールの移動距離が長くない反面、より高い正確性が求められる。このようなパットの正確性要素には方向と距離があるが、これらのうちボールの方向に影響を及ぼすのはパターの軌道とフェースである。目標としたところにボールを送るためには、送ろうとする方向にパターが動き、パターフェースは、インパクト時、送ろうとする方向に対して垂直に当たらなければならない。パットの正確性を増大させるために多様な種類のパット練習装置が市販されている。
【０００４】
これに関連して、韓国登録実用新案公報第１９３３０５号にはゴルフパット練習機が掲示されており、韓国登録実用新案公報第１９３３０５号は、ベース板体に取り付けられているパットマットと、前面の一部がゴルフボールの大きさよりも大きく開放され着地点の移動が可能なホールカップと、パットのスウィングストローク内に設けられパターの軌道離脱を検出するガイドセンサーまたは電子装置と、パターの軌道離脱を警告する警報装置とからなることを特徴とする。
【０００５】
韓国登録実用新案公報第１９３３０５号は、単純軽量構造をなすため設置及び移動使用が簡便であり、パット時に要求される直線打撃を練習し、この直線打撃がなされない場合はガイドセンサーがこれを検出して警報することにより、自身のパット及びパット習慣などを矯正して上逹が可能となる利点がある。
【０００６】
しかし、韓国登録実用新案公報第１９３３０５号を含む従来のパット練習機は、スクローク方向だけ矯正できるだけでアドレス姿勢の矯正はできないという問題があった。正しいアドレス姿勢で目とホールとゴルフボールは同じ線上に位置することが必須である。目とホールとゴルフボールが同じ線上に位置しなければ、パット時にプッシュ（push）またはプル（pull）現象が生じ得、従来は他人の助けなしで矯正することが難しいことから、これを矯正できるパット矯正装置の開発が求められている。
【０００７】
また、韓国登録実用新案公報第１９３３０５号を含む従来のパット練習機は、脚の間隔、足とボールの位置を矯正することができないとの問題があった。正しいアドレス姿勢で脚の間隔及び足とボールの位置が正しく整列されてこそ正しいストロークがなされる。
【０００８】
また、韓国登録実用新案公報第１９３３０５号を含む従来のパット練習機は、パット練習時、ゴルフボールが平面マットの上でホールカップに向かって自由に転がるが、繰り返し使用、人体による荷重及び保管時の変形によりマットの上面に折れた跡や傷が発生することになり、これによりゴルフボールの進行方向が屈曲や傷によって変わり、アドレス方向やパターのスウィング方向が多少ずれた状態でパット練習がなされるとの問題があった。
【０００９】
また、韓国登録実用新案公報第１９３３０５号を含む従来のパット練習機は、嵩が大きくてゴルフバッグに入らないため片手で持って運ばなければならないとの不便があった。パット練習装置が移動及び保管の便宜性のために折り畳まれる構造または多段の分離構造からなっても、それ自体の嵩が大きく、設置時に再び広げたり組立てたりしなければならないため、使用が面倒であるとの問題があった。
【００１０】
さらに、韓国登録実用新案公報第１９３３０５号を含む従来のパット練習機は、練習中、ホールカップに転がっていったボールをいちいち回収しなければならないとの不便があり、ゴルフボールがパターのスイートスポット（sweet spot）に打撃されたかどうかを視覚的に確認することができなかった。
【発明の概要】
【発明が解決しようとする課題】
【００１１】
本発明の目的は、目とホールとゴルフボールが同じ線上に整列されるようにアドレス姿勢を矯正し、脚の間隔及び足とボールの位置を容易に矯正することができ、繰り返し使ってもゴルフボールの進行方向が一定に維持され、移動及び保管が便利であり、パット時にゴルフボールが自動回収され、ゴルフボールがパターのスイートスポットに打撃されたかどうかを視覚的に確認できるようになされるゴルフパット矯正装置を提供することにある。
【課題を解決するための手段】
【００１２】
上記目的は、本発明により、一方向に長く形成されてゴルフボールが転がる直線走路を形成し、上記直線走路の中心に沿って表示線が形成される本体；及び、上記直線走路の上側に形成され、上記表示線と平行な貫通孔が形成されるガイド；を含み、上記貫通孔を通して上記表示線を観察しながらパットを練習するとパット姿勢が矯正されることを特徴とするゴルフパット矯正装置により達成される。
【００１３】
上記ガイドは、上記本体に上記直線走路に沿って摺動可能に結合される一対の支持部；及び、上記一対の支持部を互いに連結し、上記貫通孔が形成される覆い部；を含み、上記覆い部の間にはゴルフボールの通過する通路が形成されるようになされることができる。
【００１４】
上記覆い部には、上記貫通孔と一直線上にゴルフティー（tee）が挿さるティー挿入溝が形成されることができる。
【００１５】
上記本体の一端部にはパット練習時転がっていったゴルフボールを他端部に送り返す打撃ユニットが設けられることができる。
【００１６】
上記打撃ユニットは、モータ；及び、上記モータと連動回転してゴルフボールを打撃する打撃羽根；を含んでなることができる。
【００１７】
上記本体の側面には角度計及び上記角度計の中心軸に回転可能に結合される角度表示棒を含むスウィング矯正ユニットが設けられることができる。
【００１８】
上記角度表示棒の外周面には、ボールの速度を測定できるように長手方向に沿ってゴルフボールの転がる溝が形成されることができる。
【００１９】
上記本体には、上記直線走路の長手方向に沿ってゴルフティーの挿さるティー挿入溝が形成されることができる。
【００２０】
上記本体に着脱可能に結合され、Ｘ方向に長く形成され、傾いた地面に置かれても上記Ｘ方向と直角方向への転がりが防止されるように四角形断面に形成されるゴルフ練習用スティックをさらに含み、上記ゴルフ練習用スティックの両端部には、上記ティー挿入溝に挿さる突出部及び上記突出部が挿さる結合溝が形成されることができる。
【００２１】
上記本体には、上記直線走路と平行にレーザーが照射されるレーザーユニットが設けられることができる。
【００２２】
上記本体には、上記直線走路の長手方向に沿って目盛が形成されることができる。
【００２３】
上記本体には、上記表示線の両側に形成され、ゴルフボールが載せられて転がる一対の主レール、及び上記主レールの外側で上記表示線の両側に形成され、ゴルフボールと離隔される一対の離脱防止レールが形成されることができる。
【００２４】
上記一対の主レールは、ゴルフボールの中心に向かって相互対称に傾いて形成されることができる。
【発明の効果】
【００２５】
本発明によれば、一方向に長く形成されてゴルフボールが転がる直線走路を形成し、直線走路の中心に沿って表示線が形成される本体；及び、直線走路の上側に形成され、表示線と平行な貫通孔が形成されるガイド；を含み、貫通孔を通して表示線を観察しながらパットを練習するとパット姿勢が矯正されることにより、目とホールとゴルフボールが同じ線上に整列されるようにアドレス姿勢を矯正することができ、繰り返し使ってもゴルフボールの進行方向が一定に維持され、移動及び保管が便利なゴルフパット矯正装置を提供することができる。
【００２６】
また、本体には直線走路の長手方向に沿ってゴルフティーの挿さるティー挿入溝及び目盛が形成されることにより、脚の間隔及び足とボールの位置を容易に矯正できるようになされるゴルフパット矯正装置を提供することができる。
【００２７】
また、本体の一端部にはパット練習時転がっていったゴルフボールを他端部に送り返す打撃ユニットが設けられることにより、パット時にゴルフボールが自動回収されるようになされるゴルフパット矯正装置を提供することができる。
【００２８】
さらに、本体には、表示線の両側に形成され、ゴルフボールが載せられて転がる一対の主レール、及び主レールの外側で表示線の両側に形成され、ゴルフボールと離隔される一対の離脱防止レールが形成されることにより、ゴルフボールがパターのスイートスポットに打撃されたかどうかを視覚的に確認できるようになされるゴルフパット矯正装置を提供することができる。
【図面の簡単な説明】
【００２９】
【図１】本発明の一実施例によるゴルフパット矯正装置を示した斜視図である。
【図２】図１のゴルフパット矯正装置の本体及びガイドを示した部分拡大図である。
【図３ａ】図１のゴルフパット矯正装置の本体及びガイドを示した断面図である。
【図３ｂ】図１のゴルフパット矯正装置の本体及びガイドを示した断面図である。
【図４ａ】本発明の他の実施例によるゴルフパット矯正装置のターゲットユニット及び打撃ユニットを示した断面図である。
【図４ｂ】本発明のまた他の実施例によるゴルフパット矯正装置のターゲットユニット、スウィング矯正ユニット、レーザーユニット及び水平計を示した部分拡大図である。
【図５】本発明のまた他の実施例によるゴルフパット矯正装置のゴルフ練習用スティックを示した図面である。
【図６】図５のゴルフパット矯正装置にゴルフ練習用スティックが結合された状態を示した図面である。
【発明を実施するための形態】
【００３０】
以下、添付図面を参照して本発明の望ましい実施例を詳しく説明すると、次の通りである。但し、本発明の説明において、既に公知の機能或いは構成に関する説明は、本発明の要旨を明瞭にするために省略することにする。
【００３１】
本発明のゴルフパット矯正装置は、目とホールとゴルフボールが同じ線上に整列されるようにアドレス姿勢を矯正し、脚の間隔及び足とボールの位置を容易に矯正でき、繰り返し使ってもゴルフボールの進行方向が一定に維持され、移動及び保管が便利であり、パット時にゴルフボールが自動回収され、ゴルフボールがパターのスイートスポットに打撃されたかどうかを視覚的に確認できるようになされる。
【００３２】
図１は本発明の一実施例によるゴルフパット矯正装置を示した斜視図であり、図２は図１のゴルフパット矯正装置の本体及びガイドを示した部分拡大図であり、図３ａ及び図３ｂは図１のゴルフパット矯正装置の本体及びガイドを示した断面図であり、図４ａは本発明の他の実施例によるゴルフパット矯正装置のターゲットユニット及び打撃ユニットを示した断面図であり、図４ｂは本発明のまた他の実施例によるゴルフパット矯正装置のターゲットユニット、スウィング矯正ユニット、レーザーユニット及び水平計を示した部分拡大図であり、図５は本発明のまた他の実施例によるゴルフパット矯正装置のゴルフ練習用スティックを示した図面であり、図６は図５のゴルフパット矯正装置にゴルフ練習用スティックが結合された状態を示した図面である。
【００３３】
図１に示されているように、本発明の一実施例によるゴルフパット矯正装置１は、ゴルフパットを繰り返し練習する過程で自然に正確なアドレス（address）、アラインメント（alignment）及びボールの位置が学習されてパット姿勢が矯正されるようになされ、本体１０、ガイド２０及びターゲットユニット３０を含んで構成される。
【００３４】
図１及び図２に示されているように、本体１０は、一方向に長く形成されてゴルフボールＢが転がる直線走路Ｐを形成する構成であり、上側が開放される略コの字型からなり、その内側にゴルフボールＢが転がる直線走路Ｐを形成する。直線走路Ｐにはその中央に沿って表示線Ｌが形成される。
【００３５】
表示線Ｌは、パット時にゴルフボールＢの進行経路を肉眼で確認するための構成であり、その周囲と異なる色で塗色されるか本体１０の内部と異なる色のテープが粘着されて形成されることもでき、図２に示されているように、本体１０の内部の直線走路Ｐの中央に沿って貫通されたホールＬａ形態からなることもできる。
【００３６】
図２及び図３ａに示されているように、本体１０には主レール１１及び離脱防止レール１２が形成される。
【００３７】
主レール１１は、ゴルフボールＢが載せられて転がる構成であり、表示線Ｌの両側にそれぞれ形成される。一対の主レール１１は、ゴルフボールＢが載せられた状態でパターによって打撃されるときに主レール１１から脱しないように、ゴルフボールＢの中心に向かって相互対称に傾いた形態からなる。望ましくは、主レール１１の傾斜角は、載せられたゴルフボールＢとの接触点において主レール１１の上面からの法線がゴルフボールＢの中心に向かうように形成される。
【００３８】
離脱防止レール１２は、ゴルフボールＢの離脱を防止するための構成であり、主レール１１の外側で表示線Ｌの両側にそれぞれ形成される。離脱防止レール１２は、それぞれ上向きに突出するように形成される。
【００３９】
一対の離脱防止レール１２は、ゴルフボールＢが主レール１１に載せられた状態でゴルフボールＢの両側面と接触し、ゴルフボールＢが表示線Ｌと異なる方向に斜めに転がるのを防止する。
【００４０】
図３ｂに示されているように、主レール１１には一対のレール部材１１ａが形成されることができる。
【００４１】
レール部材１１ａは、主レール１１に結合される長いバー（bar）形態からなる。レール部材１１ａは、本体１０の内部と異なる色で形成されることが望ましく、このとき、表示線Ｌは、一対の主レール１１によって色が区分される主レール１１の中央部に拡張されることができる。
【００４２】
レール部材１１ａは、ゴルフボールＢが繰り返し転がりながら摩擦を起こしても表面に摩耗の少ない軽い材質からなることが望ましいが、ゴムやシリコーンなど弾力的な材質で形成されることもできるのは勿論のことである。レール部材１１ａは、消耗品であり、その底面に粘着部が形成されて主レール１１の傾斜面に接着され、接触面に摩耗が発生すると、余分のレール部材１１ａに交換可能である。
【００４３】
主レール１１にレール部材１１ａが結合されると、レール部材１１ａに載せられたゴルフボールＢの高さが高くなることでゴルフボールＢは離脱防止レール１２と離隔される。
【００４４】
従って、パターのスウィング方向が表示線Ｌの方向からずれた状態でゴルフボールＢを打撃すると、ゴルフボールＢはレール部材１１ａから脱して離脱防止レール１２とぶつかり揺れることになり、練習者はこれを視覚的に確認することでパターのスウィング方向が正しくないことをすぐ認知してこれを矯正することができる。
【００４５】
ゴルフボールＢがレール部材１１ａから脱することになるパターのスウィング方向と打撃力は、主レール１１の傾斜角によって異なり得、主レール１１の傾斜角は製作時に調節可能である。
【００４６】
図１を参照すると、本体１０はゴルフクラブと略似た長さに形成され、その断面がゴルフボールＢの２倍以内の幅と高さを持つようになされる。従って、練習者は本体１０をゴルフクラブと共にゴルフバッグに入れることにより保管及び移動が便利であり、家、職場、ゴルフ練習場及びフィールドにかかわらず常時使うことができる。
【００４７】
図示されてはいないが、ゴルフバッグによって振動、移動及び転倒が防止された状態でパット練習ができるようにゴルフバッグの下端部と本体の端部に互いに対応する面ファスナーを付着することができる。
【００４８】
図１及び図２に示されているように、ガイド２０は、表示線Ｌの一部が特定角度範囲でのみ見えるように直線走路Ｐの上側に形成される構成であり、支持部２１及び覆い部２２を含んで構成される。
【００４９】
支持部２１は、本体１０に直線走路Ｐに沿って移動可能に結合され、一対に構成されて本体１０の両側に結合される。望ましくは、支持部２１にはスライド突起２１ａが形成され、本体１０には長手方向に沿ってスライド溝１０ｃが形成されて、ガイド２０は本体１０に摺動可能に結合される。
【００５０】
図２及び図３ａに示されているように、覆い部２２は、支持部２１の上端部を互いに連結し、表示線Ｌに対応する貫通孔２２ａが形成される。貫通孔２２ａは、細長い孔からなり、望ましくは、練習者の目と表示線Ｌが一直線上に整列されるように表示線Ｌに対して垂直な位置に形成される。覆い部にはゴルフボールＢが通過する通路２２ｂが形成される。
【００５１】
本発明のゴルフパット矯正装置１は、練習者が貫通孔２２ａを通して表示線Ｌが見える状態でパット練習をするようになされ、これは、アドレス姿勢を矯正するためである。正しいアドレス姿勢では目とホールとゴルフボールＢが同じ線上に位置しなければならないが、目とホールとゴルフボールＢが同じ線上に位置しなければ、パット時にプッシュ（push）またはプル（pull）現象が発生するためである。
【００５２】
練習者が一対の主レール１１にゴルフボールＢを置いた後、貫通孔２２ａを通して表示線Ｌを見ながらパットを練習すると、貫通孔２２ａが表示線Ｌに対して垂直な位置に形成されることにより、練習者の目と表示線ＬとゴルフボールＢが同じ線上に位置した状態でパット練習がなされることになる。
【００５３】
従って、本発明のゴルフパット矯正装置１を使ってパット練習を繰り返し行った練習者は、自然に目とホールとゴルフボールＢが同じ線上に位置した状態でストロークがなされるアドレス姿勢を身につけることができる。
【００５４】
図２に示されているように、覆い部２２には貫通孔２２ａと一直線上にゴルフティーＴ（tee）が挿さるティー挿入溝Ｈ３が形成される。ティー挿入溝Ｈ３は、貫通孔２２ａと一直線上に対して垂直な方向または水平な方向に形成されることができ、練習者は貫通孔２２ａの代わりにティー挿入溝Ｈ３に挿入されたゴルフティーＴが表示線Ｌと一直線上に見える状態でパットを練習することもできる。
【００５５】
図２に示されているように、本体１０には直線走路Ｐの長手方向に沿って目盛Ｍと共にゴルフティーＴが挿さるティー挿入溝Ｈ１が形成される。
【００５６】
本体１０に目盛Ｍ及びティー挿入溝Ｈ１が形成されると、ゴルフボールＢが置かれる位置と共に正確なアドレス姿勢での足の位置を目盛Ｍ及びゴルフティーＴを通して確認したり表示したりすることができ、これによって目とボールとホールが一直線上に整列されると共に足の位置及び間隔も正しい位置に整列されることにより、正確なアドレス姿勢を維持した状態で反復的なパット練習が可能になる。
【００５７】
図１を参照すると、ターゲットユニット３０は、パット練習時、ゴルフボールの目標点の役目をすると共に転がっていったゴルフボールを停止させる構成であり、ブロッカー３１及びターゲット部材３２を含んで構成される。
ブロッカー３１は、本体の一端部に結合され、転がっていったゴルフボールがぶつかって停止される。
【００５８】
ターゲット部材３２は、ゴルフボールのパット目標点の役目をする構成であり、ゴルフボールが通過する通路を形成し、直線走路に沿って本体に摺動可能に結合される。ターゲット部材３２は、ブロッカー３１と隣接した地点またはゴルフボールの打撃地点とブロッカー３１の間でゴルフボールのパット目標点及びホールカップの機能をすることになる。
【００５９】
図４ａに示されているように、ブロッカー３１にはパット練習時転がっていったゴルフボールを他端部に送り返す打撃ユニット８０が設けられることができる。
【００６０】
打撃ユニット８０は、パット練習時転がっていったゴルフボールＢを再び練習者の方に送り返すための構成であり、モータ８１、バッテリー（図示せず）、制御部（図示せず）、打撃羽根８２及び打撃板８３を含んで構成される。
【００６１】
制御部は、モータ８１の回転を制御する構成であり、一定時間毎にモータ８１にバッテリーの電源を供給するようになされる。例えば、制御部が１０秒毎にモータ８１に電源を一定時間供給するように設定されることができる。
【００６２】
打撃羽根８２は、モータ８１によって回転され、ブロッカー３１に回転可能に結合される。打撃羽根８２は、２つ以上から形成され（モータ８１とベルト、チェーンまたはギアで回転力の伝達を受ける）中心軸を基準に回転して打撃板８３を打撃する。
【００６３】
打撃板８３は、ブロッカー３１に弾性部材で連結され、一定間隔を往復移動可能になされる。打撃板８３は、打撃羽根８２によって打撃されて直線運動し、ゴルフボールＢが再びターゲット部材３２を通過して本体１０の他端部へ転がっていくようにゴルフボールＢを打撃する。
【００６４】
打撃ユニット８０の方に転がってきたゴルフボールＢが打撃板８３の打撃可能な地点に位置できるように、主レール１１は打撃板８３に向かって一定間隔下向きに傾斜して形成されることが望ましい。
【００６５】
図４ｂに示されているように、本体１０またはターゲットユニット３０には直線走路Ｐと平行にレーザーが照射されるレーザーユニット５０が設けられる。レーザーユニット５０は、練習者がパット練習時に表示線Ｌと共に見ることができるようにガイド２０から主レール１１に置かれるゴルフボールＢと反対側に本体１０の端部に設けられたターゲットユニット３０に設けられる。
【００６６】
レーザーユニット５０がゴルフパット矯正装置１から直線走路Ｐと平行にレーザーを照射すると、レーザー光が表示線Ｌの延長線上で観察されることにより、練習者は表示線Ｌの整列方向を正確に認知することになり、壁や木または物を照射するレーザー光を仮想のホールと仮定した状態でロングパットを練習することができるとの利点がある。
【００６７】
図４ｂに示されているように、スウィング矯正ユニット４０は、パット時にゴルフクラブの回転角度を矯正するための構成であり、本体１０の側面に設けられる。スウィング矯正ユニット４０は、角度計４１及び角度表示棒４２を含んで構成される。
【００６８】
角度計４１は、地平面を０度及び１８０度として表示し、９０度は上方を向くようにした状態で本体１０の側面に設けられる。
【００６９】
角度表示棒４２は、角度計４１の中心軸に回転可能に結合される。角度表示棒４２をゴルフクラブの望ましいスウィング角度に回転させておいた状態でパットスウィング練習を行うと、角度表示棒の角度と比較してパット時にゴルフクラブのスウィング角度を矯正することになる。
【００７０】
角度表示棒４２は、後述するゴルフ練習用スティック７０または棒形態の物を角度表示棒４２の長手方向に挿入するように一端部が開口されたパイプ形態に形成されることができる。角度表示棒４２の端部にゴルフ練習用スティック７０を挿入した状態でスウィング練習を行うと、ゴルフ練習用スティック７０が角度表示棒４２の延長線上に配置されることにより、ゴルフクラブのスウィング角度とより容易に比較することができるとの利点がある。
【００７１】
図４ｂに示されているように、本体１０またはターゲットユニット３０には地面の水平度を測定する水平計６０が形成される。
【００７２】
ゴルフパット時、地面の傾斜度はゴルフボールＢの転がる距離及び方向と直結し、本発明のゴルフパット矯正装置１は地面の水平度を表示することにより正確なパット練習を可能にする。すなわち、パット練習時、練習者は水平計６０を確認することによりゴルフパット矯正装置１が置かれた地面の傾斜度を確認できるため、傾斜度を考慮してパット練習を行うことができる。
【００７３】
図５及び図６に示されているように、ゴルフパット矯正装置１は、ゴルフ練習用スティック７０をさらに含んでなることができる。
【００７４】
ゴルフ練習用スティック７０は、ゴルフスウィング練習時、セットアップ姿勢の矯正、ボール位置の設定、スウィング軌道の矯正及びパット練習が容易にできるようになされるものであり、一方向に長く形成され、四角形断面を有する。ゴルフ練習用スティック７０は、四角形断面を有する長い棒形態に形成されることにより、傾斜した地面に置かれたりゴルフボールＢがぶつかっても転がりが防止される。
【００７５】
ゴルフ練習用スティック７０は、本体１０のティー挿入溝Ｈ１に挿入して使用するか、２つ以上のゴルフ練習用スティック７０を互いに連結できるように、両端部に、ティー挿入溝Ｈ１に挿入される突出部Ｕ２と、突出部Ｕ２が挿入されて結合される結合溝Ｕ１が形成される。もちろん、ゴルフ練習用スティック７０は、ゴルフパット矯正装置１に結合せず単独でも地面に置いて使用することができる。
【００７６】
また、ゴルフ練習用スティック７０には、長手方向に沿ってゴルフティーＴが挿さるティー挿入溝Ｈ４が形成され、ティー挿入溝Ｈ４に簡単にゴルフティーＴを挿すことで足やゴルフボールＢの位置またはダフ位置などを容易に確認することができる。スウィング途中にゴルフティーＴが打撃されても消耗品であるゴルフティーＴに損傷が集中してゴルフ練習用スティック７０は長持ちできるようになる。
【００７７】
そして、ゴルフ練習用スティック７０には、ゴルフクラブヘッドの移動距離及びゴルフボールＢの転がる距離が確認されるように長手方向に沿って目盛Ｇが形成される。ゴルフパット時、バックストロークとフォワードストロークの距離は、ゴルフボールＢの転がる距離と直結する。ゴルフ練習用スティック７０には長手方向に沿って目盛Ｇが形成されて、練習者はフォワードストロークとバックストロークの距離を正確に確認することができる。
【００７８】
ゴルフ練習用スティック７０には、ゴルフクラブヘッドの移動距離及びゴルフボールＢの転がる距離が色で確認されるように長手方向に沿って２以上の異なる色の区間が交互に形成され、これにより練習者は、パット練習時、ゴルフボールＢが転がっていった距離を小さな誤差範囲内で視覚的に確認することができる。
【００７９】
図６に示されているように、ゴルフパット矯正装置１は、ゴルフ練習用スティック７０を本体１０に結合してスウィング練習とパット練習を同時に行うことができるとの利点がある。
【００８０】
本発明によれば、一方向に長く形成されてゴルフボールＢが転がる直線走路Ｐを形成し、直線走路Ｐの中心に沿って表示線Ｌが形成される本体１０；及び、直線走路Ｐの上側に形成され、表示線Ｌと平行な貫通孔２２ａが形成されるガイド２０；を含み、貫通孔２２ａを通して表示線Ｌを観察しながらパットを練習するとパット姿勢が矯正されることにより、目とホールとゴルフボールＢが同じ線上に整列されるようにアドレス姿勢を矯正することができ、繰り返し使ってもゴルフボールＢの進行方向が一定に維持され、移動及び保管が便利なようになされるゴルフパット矯正装置１を提供することができる。
【００８１】
また、本体１０には直線走路Ｐの長手方向に沿ってゴルフティーＴの挿さるティー挿入溝Ｈ１及び目盛Ｍが形成されることにより、脚の間隔及び足とボールの位置を容易に矯正できるようになされるゴルフパット矯正装置１を提供することができる。
【００８２】
また、本体１０の一端部にはパット練習時転がっていったゴルフボールＢを他端部に送り返す打撃ユニット８０が設けられることにより、パット時にゴルフボールＢが自動回収されるようになされるゴルフパット矯正装置１を提供することができる。
【００８３】
さらに、本体１０には、表示線Ｌの両側に形成され、ゴルフボールＢが載せられて転がる一対の主レール１１、及び主レール１１の外側で表示線Ｌの両側に形成され、ゴルフボールＢと離隔される一対の離脱防止レール１２が形成されることにより、ゴルフボールＢがパターのスイートスポットに打撃されたかどうかを視覚的に確認できるようになされるゴルフパット矯正装置１を提供することができる。
【００８４】
先に、本発明の特定の実施例が説明され図示されているが、本発明は、記載されている実施例に限定されるものではなく、本発明の思想及び範囲を逸脱することなく多様な修正及び変形が可能であることは、本技術分野で通常の知識を有する者にとって自明なことである。従って、かかる修正例または変形例は、本発明の技術的思想や観点から個別的に理解されてはならず、変形された実施例は本発明の特許請求の範囲に属するものとするべきである。
【産業上の利用可能性】
【００８５】
本発明によるゴルフパット矯正装置によれば、一方向に長く形成されてゴルフボールが転がる直線走路を形成し、直線走路の中心に沿って表示線が形成される本体；及び、直線走路の上側に形成され、表示線と平行な貫通孔が形成されるガイド；を含み、貫通孔を通して表示線を観察しながらパット練習を行うとパット姿勢が矯正されることにより、目とホールとゴルフボールが同じ線上に整列されるようにアドレス姿勢を矯正することができ、繰り返し使ってもゴルフボールの進行方向が一定に維持され、移動及び保管が便利な点で、既存技術の限界を越えることにより、関連技術に対する利用だけでなく適用される装置の市販または営業の可能性が十分なばかりか、現実的に明白に実施可能な程度であるため、産業上の利用可能性がある発明である。
【符号の説明】
【００８６】
１：ゴルフパット矯正装置
１０：本体
２０：ガイド
３０：ターゲットユニット 
４０：スウィング矯正ユニット
５０：レーザーユニット
６０：水平計
７０：ゴルフ練習用スティック
８０：打撃ユニット
４１：角度計  
１１：主レール
４２：角度表示棒
１２：離脱防止レール
Ｕ２：突出部
１１ａ：レール部材
Ｕ１：結合溝 
１０ｃ：スライド溝
Ｈ４：ティー挿入溝
Ｐ：直線走路
８１：モータ
Ｌ：表示線
８２：打撃羽根
Ｈ１：ティー挿入溝
８３：打撃板
Ｍ：目盛
Ｂ：ゴルフボール 
２１：支持部
Ｔ：ゴルフティー
２１ａ：スライド突起
Ｈ２：ティー挿入溝 
２２：覆い部 
２２ａ：貫通孔 
２２ｂ：通路
Ｈ３：ティー挿入溝 
３１：ブロッカー 
３２：ターゲット部材
【図１】
0006445697.tif 000002
【図２】
0006445697.tif 000003
【図３ａ】
0006445697.tif 000004
【図３ｂ】
0006445697.tif 000005
【図４ａ】
0006445697.tif 000006
【図４ｂ】
0006445697.tif 000007
【図５】
0006445697.tif 000008
【図６】
0006445697.tif 000009